(57)【要約】【課題】硬貨を回収している間も会計処理が可能となる入出金装置及び入出金プログラムを提供する。【解決手段】入出金装置は、硬貨を投入する投入孔と、投入孔から投入された硬貨を金種ごとに振り分ける振り分け部と、振り分けられた硬貨を蓄積する蓄積部と、蓄積部に蓄積された硬貨を出金するコンベアを有する出金部と、コンベアの出金方向の上流に配置され、硬貨を収納する回収袋が装着された場合に開放する回収ドアと、硬貨の回収指示が入力されたと判定した場合、コンベアを出金方向とは逆方向に回転させる制御部と、を備える。【選択図】図４
2015204070.tif 000002
【特許請求の範囲】
【請求項１】
硬貨を投入する投入孔と、
前記投入孔から投入された前記硬貨を金種ごとに振り分ける振り分け部と、
振り分けられた前記硬貨を蓄積する蓄積部と、
前記蓄積部に蓄積された前記硬貨を出金するコンベアを有する出金部と、
前記コンベアの出金方向の上流に配置され、前記硬貨を収納する回収袋が装着された場合に開放する回収ドアと、
前記硬貨の回収指示が入力されたと判定した場合、前記コンベアを出金方向とは逆方向に回転させる制御部と、
を備える入出金装置。
【請求項２】
前記回収袋の装着を検知するセンサをさらに備え、
前記制御部は、
前記硬貨の回収指示が入力され、かつ前記センサの出力に基づいて前記回収袋が装着されたと判定した場合、前記コンベアを出金方向とは逆方向に回転させる請求項１記載の入出金装置。
【請求項３】
前記コンベアは、
硬貨を出金させる出金コンベアと、
硬貨を回収する回収コンベアと、
を含み、
前記制御部は、
前記硬貨の回収指示が入力されたと判定した場合、前記回収コンベアを出金方向とは逆方向に回転させる請求項１記載の入出金装置。
【請求項４】
硬貨を投入する投入孔と、
前記投入孔から投入された前記硬貨を金種ごとに振り分ける振り分け部と、
振り分けられた前記硬貨を蓄積する蓄積部と、
前記蓄積部に蓄積された前記硬貨を出金するコンベアを有する出金部と、
前記コンベアの出金方向の上流に配置され、前記硬貨を収納する回収袋が装着された場合に開放する回収ドアと、
を備える入出金装置を、
前記硬貨の回収指示が入力されたと判定した場合、前記コンベアを出金方向とは逆方向に回転させる逆回転回収手段として機能させるための入出金プログラム。
【請求項５】
前記入出金装置は、
前記回収袋の装着を検知するセンサをさらに備え、
前記入出金装置を、
前記硬貨の回収指示が入力され、かつ前記センサの出力に基づいて前記回収袋が装着されたと判定した場合、前記コンベアを出金方向とは逆方向に回転させる回収袋検知回収手段として機能させるための請求項４記載の入出金プログラム。
【請求項６】
前記コンベアは、
硬貨を出金させる出金コンベアと、
硬貨を回収する回収コンベアと、
を含み、
前記入出金装置を、
前記硬貨の回収指示が入力されたと判定した場合、前記回収コンベアを出金方向とは逆方向に回転させる回収コンベア逆転手段として機能させるための請求項４記載の入出金プログラム。
【発明の詳細な説明】
【技術分野】
【０００１】
本発明の実施形態は、入出金装置及び入出金プログラムに関する。
【背景技術】
【０００２】
ＰＯＳ端末などの販売情報登録処理装置は現金を入出金する入出金装置と共に用いられることが多い。この入出金装置は硬貨を投入する投入孔と、投入された硬貨を金種ごとに振り分ける振り分け部と、内部に蓄積された硬貨を出金する出金部と、出金された硬貨を受ける受皿と、を備える。
【０００３】
入出金装置は定期的に内部に蓄積された現金の回収が行われる。現金の回収は、受け皿の下方に回収袋を装着し、内部に蓄積された硬貨を出金部によって出金させることにより行う。
【０００４】
従って、硬貨を回収している間は通常の会計処理ができない。
【先行技術文献】
【特許文献】
【０００５】
【特許文献１】特開２００４−１９９５９３号公報
【発明の概要】
【発明が解決しようとする課題】
【０００６】
従って、硬貨を回収している間も会計処理が可能となる入出金装置及び入出金プログラムが求められている。
【課題を解決するための手段】
【０００７】
上記の課題を解決するために、本発明の一実施形態は、硬貨を投入する投入孔と、投入孔から投入された硬貨を金種ごとに振り分ける振り分け部と、振り分けられた硬貨を蓄積する蓄積部と、蓄積部に蓄積された硬貨を出金するコンベアを有する出金部と、コンベアの出金方向の上流に配置され、硬貨を収納する回収袋が装着された場合に開放する回収ドアと、硬貨の回収指示が入力されたと判定した場合、コンベアを出金方向とは逆方向に回転させる制御部と、を備える入出金装置を提供する。
【図面の簡単な説明】
【０００８】
【図１】入出金装置の外観斜視図である。
【図２】振り分け部の平面図である。
【図３】入出金装置の図１におけるＡＡ線断面図である。
【図４】硬貨の回収時の様子を示す入出金装置の側面図である。
【図５】入出金装置の背面部付近の平面図である。
【図６】入出金装置の背面部付近の側面図である。
【図７】変形例に係る入出金装置の側面図である。
【図８】変形例に係る入出金装置の硬貨回収時の側面図である。
【図９】入出金装置の構成を示すブロック図である。
【図１０】入出金装置の硬貨回収動作を示すフローチャートである。
【発明を実施するための形態】
【０００９】
以下、入出金装置及び入出金プログラムの一実施形態について、図面を用いて詳細に説明する。
【００１０】
本実施形態の入出金装置は、硬貨を投入する投入孔と、投入孔から投入された硬貨を金種ごとに振り分ける振り分け部と、振り分けられた硬貨を蓄積する蓄積部と、蓄積部に蓄積された硬貨を出金するコンベアを有する出金部と、コンベアの出金方向の上流に配置され、硬貨を収納する回収袋が装着された場合に開放する回収ドアと、硬貨の回収指示が入力されたと判定した場合、コンベアを出金方向とは逆方向に回転させる制御部と、を備える。
【００１１】
図１は、入出金装置１の外観斜視図である。図１に示すように、入出金装置１は、本体部１０１と、硬貨を投入する投入孔１０２と、出金された硬貨を受ける受皿１０３と、キーボード、ディスプレイなどの情報を入出力する入出力部１０４と、を備える。
【００１２】
本体部１０１は、投入された硬貨を金種ごとに振り分ける振り分け部と、振り分けられた硬貨を金種ごとに格納する蓄積部と、蓄積された硬貨を１枚ずつ出金する出金部と、を格納する。
【００１３】
図２は、振り分け部の平面図である。図２に示すように、振り分け部は、硬貨の材質を検知する磁気センサ２０１と、硬貨を搬送する搬送路２０２と、不良硬貨を排出するためのシャッタ２０３Ａ及び排出口２０３Ｂと、硬貨を案内するガイド２０４と、を備える。
【００１４】
さらに、振り分け部は各金種の大きさに合わせて切欠いた選別孔２０５を有する選別部２０６と、選別孔２０５から落下する硬貨を検知する金種センサ２０７Ａ乃至２０７Ｆ（以下、金種センサ２０７という。）と、を備える。
【００１５】
入出金装置１は、投入された硬貨Ｃを磁気センサ２０１上に矢印Ｘ１に示すように通過させる。磁気センサ２０１は硬貨Ｃによる磁束の変化を電気信号によって出力する。入出金装置１はこの磁気センサ２０１の出力に基づいて、不良硬貨であると判定した場合、シャッタ２０３Ａを開放して当該硬貨Ｃを排出口２０３Ｂから回収する。
【００１６】
入出金装置１はさらに、硬貨Ｃを矢印Ｘ２に示すように、図２に向かって横方向に搬送する。搬送された硬貨Ｃは、大きさに応じて金種ごとに選別部２０６によって選別され蓄積部に落下する。
【００１７】
入出金装置１は、蓄積された硬貨を出金する場合には硬貨Ｃを矢印Ｘ３の方向に搬送する。
【００１８】
図３は、入出金装置１の図１におけるＡＡ線断面図である。図３に示すように、入出金装置１の出金部は、硬貨Ｃを搬送するコンベア３０１と、搬送された硬貨Ｃを１枚に剥離する剥離ローラ３０２と、硬貨の出金を規制する規制ソレノイド３０３と、硬貨の出金を検知する出金センサ３０４と、コンベア３０１の出金方向の上流端部に設けられる回収ドア３０５と、を備える。
【００１９】
入出金装置１は、硬貨を出金する際、コンベア３０１を矢印Ｘ４に示す出金方向に回転させる。剥離ローラ３０２は、重なって搬送されてきた硬貨を１枚に剥離する。入出金装置１は出金する金種の規制ソレノイド３０３を駆動させて硬貨Ｃを通過させる。入出金装置１は出金センサ３０４が硬貨Ｃの出金を検知した場合、規制ソレノイド３０３を反対方向に駆動させて閉じる。
【００２０】
なお、回収ドア３０５は通常の会計時には閉じた状態にある。
【００２１】
図４は、硬貨Ｃの回収時の様子を示す入出金装置１の側面図である。図４に示すように、入出金装置１は、回収袋３０６が入出金装置１の背面に装着された場合、回収ドア３０５を開放する。
【００２２】
入出金装置１は、入出力部１０４から回収指示が入力されたと判定した場合、コンベア３０１を出金方向とは逆方向に回転させて硬貨Ｃを回収袋３０６に回収する。
【００２３】
図５は、入出金装置１の背面部付近の平面図である。ここで、背面部とは、入出金装置１をオペレータの方向から見た場合の背面、すなわち図１の奥側を指す。
【００２４】
図５に示すように、回収袋３０６は、フレームの側端部に直線状に配置された複数の歯３０６Ａを備える。
【００２５】
入出金装置１は、回収袋３０６の装着完了を検知するセンサ５１０と、回収袋３０６の歯３０６Ａとかみ合う歯車５０１と、歯車５０１とかみ合う傘歯歯車５０２と、を備える。
【００２６】
回収袋３０６を入出金装置１の背面部に側面方向から摺動させて装着すると、歯３０６Ａにかみ合った歯車５０１が回転する。歯車５０１の回転は傘歯歯車５０２に伝達され、横方向の回転が縦方向の回転に変換される。
【００２７】
図６は、入出金装置１の背面部付近の側面図である。図６に示すように、入出金装置１は、傘歯歯車５０２とかみ合う中継歯車５０３と、中継歯車５０３とかみ合い、回収ドア３０５に接続する円弧状の歯車６０１と、を備える。
【００２８】
歯車５０１の矢印Ｘ６方向の回転は、傘歯歯車５０２、中継歯車５０３、円弧状の歯車６０１に伝達され、回収ドア３０５は支点６０２を中心に回動して矢印Ｘ７方向に開く。
【００２９】
回収袋３０６を引き抜くと、回収ドア３０５は逆方向に閉じる。
【００３０】
図７は、変形例に係る入出金装置１の側面図である。図７に示すように、入出金装置１は、コンベア３０１の代わりに、出金コンベア７０１と、出金コンベア７０１の出金方向上流に設置される回収コンベア７０２と、を備える。
【００３１】
入出金装置１は、硬貨を出金させる場合には出金コンベア７０１と、回収コンベア７０２と、をともに矢印Ｘ４に示す出金方向に回転させる。
【００３２】
図８は、変形例に係る入出金装置１の硬貨回収時の側面図である。図８に示すように、入出金装置１は硬貨を回収する場合には回収コンベア７０２のみを出金方向とは逆方向の矢印Ｘ５の方向に回転させる。
【００３３】
図９は、入出金装置１の構成を示すブロック図である。図９に示すように、入出金装置１は、演算装置であるＣＰＵ（ｃｅｎｔｒａｌ  ｐｒｏｃｅｓｓｉｎｇ  ｕｎｉｔ）を含む制御部９０１と、メモリ、ハードディスクドライブなどの記憶装置を含む記憶部９０２と、入出力部１０４と、センサ５１０と、コンベア３０１乃至出金コンベア７０１及び回収コンベア７０２を駆動させる駆動部９０３と、上位機種であるＰＯＳ（ｐｏｉｎｔ  ｏｆ  ｓａｌｅｓ）端末等と通信を行う通信部９０４と、を備える。
【００３４】
記憶部９０２は、入出金プログラムを格納し、制御部９０１は記憶部９０２から入出金プログラムを順次読み出して実行する。
【００３５】
図１０は、入出金装置１の硬貨回収動作を示すフローチャートである。図１０に示すように、ステップ１００１において、入出金装置１は入出力部１０４から回収指示があったかを判定する。入出金装置１は回収指示があったと判定した場合（ステップ１００１のＹ）、ステップ１００２に進み、回収指示がないと判定した場合（ステップ１００１のＮ）、ステップ１００１に戻る。
【００３６】
ステップ１００２において、入出金装置１はセンサ５１０がＯＮであるか、すなわち回収袋３０６が完全に装着されたかを判定する。入出金装置１はセンサ５１０がＯＮであると判定した場合（ステップ１００２のＹ）、ステップ１００３に進み、ＯＮであると判定しない場合（ステップ１００２のＮ）、ステップ１００２に戻る。
【００３７】
ステップ１００３において、入出金装置１はコンベア３０１又は回収コンベア７０２を出金方向とは逆方向に回転させる。
【００３８】
ステップ１００４において、入出金装置１は入出力部１０４から停止指示が入力されたかを判定する。入出金装置１は、停止指示が入力されたと判定した場合（ステップ１００４のＹ）、ステップ１００５に進み、入力されていないと判定した場合（ステップ１００４のＮ）、ステップ１００４に戻る。
【００３９】
ステップ１００５において、入出金装置１はコンベア３０１又は回収コンベア７０２を停止させる。
【００４０】
以上述べたように、本実施形態の入出金装置１は、硬貨Ｃを投入する投入孔１０２と、投入された硬貨Ｃを金種ごとに振り分ける振り分け部と、振り分けられた硬貨を蓄積する蓄積部と、蓄積部に蓄積された硬貨を出金するコンベア３０１を有する出金部と、コンベア３０１の出金方向の上流に配置され、回収袋が装着された場合に開放する回収ドア３０５と、回収袋３０６の装着を検知するセンサ５１０と、硬貨の回収指示が入力されたと判定した場合、コンベア３０１を出金方向とは逆方向に回転させる制御部９０１と、を備える。
【００４１】
従って、硬貨を回収している間も会計処理が可能となるという効果がある。
【００４２】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４３】
１０２：投入孔
１０３：受皿
１０４：入出力部
３０１：コンベア
３０５：回収ドア
３０６：回収袋
５０１：センサ
【図１】
2015204070.tif 000003
【図２】
2015204070.tif 000004
【図３】
2015204070.tif 000005
【図４】
2015204070.tif 000006
【図５】
2015204070.tif 000007
【図６】
2015204070.tif 000008
【図７】
2015204070.tif 000009
【図８】
2015204070.tif 000010
【図９】
2015204070.tif 000011
【図１０】
2015204070.tif 000012